(57)【要約】【課題】  ロ−タリ爪軸筒への草藁類の巻絡を耕耘性能に影響を及ぼすことなく効果的に阻止できる草藁巻付防止装置を、構成簡潔でロ−タリ爪軸筒への着脱が容易であり、堅牢なものにする。【解決手段】  軸方向に離間した爪ホルダの間に渡架状に止着して設ける巻付き防止棒を、爪ホルダに耕耘爪を止着する爪固定ボルトによって共締めに取付ける支持プレ−トに保持させ、支持プレ−ト及びそれに支持される部分の巻付き防止棒が耕耘爪の背面側に位置するように構成する。また、巻付き防止棒を、支持プレ−トと共締めで爪ホルダに止着される耕耘爪の縦刃の最基部寄り部分の回転径に可及的に近い位置に横架する。また、巻付き防止棒を渡架状に支持する支持プレ−トを側面視で「へ」字状を呈するように姿勢を異ならせて設け、両支持プレ−トの頂部間に巻付き防止棒を横架する。【選択図】  図１
2005143455.tif 000002
【特許請求の範囲】
【請求項１】
ロ−タリ爪軸筒から周外方に適宜離間した部位にあってロ−タリ爪軸筒に沿って位置する巻付き防止棒を、ロ−タリ爪軸筒の外周に配設された複数の爪ホルダのうち軸方向に離間した爪ホルダ間に渡架状に止着して設けたロ−タリ耕耘機において、前記巻付き防止棒を、前記爪ホルダに耕耘爪を止着する爪固定ボルトによって共締めに取付ける支持プレ−トに保持させて、支持プレ−ト及びそれに支持される部分の巻付き防止棒が前記耕耘爪の背面側に位置するように構成したことを特徴とするロ−タリ耕耘機の草藁巻付防止装置。
【請求項２】
ロ−タリ爪軸筒から周外方に適宜離間した部位にあってロ−タリ爪軸筒に沿って位置する巻付き防止棒を、ロ−タリ爪軸筒の外周に配設された複数の爪ホルダのうち軸方向に離間した爪ホルダ間に渡架状に止着して設け、その巻付き防止棒を、前記爪ホルダに耕耘爪を止着する爪固定ボルトによって共締めに取付ける支持プレ−トに保持させて、支持プレ−ト及びそれに支持される部分の巻付き防止棒が前記耕耘爪の背面側に位置するようにしたロ−タリ耕耘機において、前記巻付き防止棒が、支持プレ−トと共締めで爪ホルダに止着される耕耘爪の縦刃の最基部寄り部分の回転径に可及的に近い位置に横架されるようにしてあることを特徴とするロ−タリ耕耘機の草藁巻付防止装置。
【請求項３】
ロ−タリ爪軸筒から周外方に適宜離間した部位にあってロ−タリ爪軸筒に沿って位置する巻付き防止棒を、ロ−タリ爪軸筒の外周に配設された複数の爪ホルダのうち軸方向に離間した爪ホルダ間に渡架状に止着して設け、その巻付き防止棒を、前記爪ホルダに耕耘爪を止着する爪固定ボルトによって共締めに取付ける支持プレ−トに保持させて、支持プレ−ト及びそれに支持される部分の巻付き防止棒が前記耕耘爪の背面側に位置するようにしたロ−タリ耕耘機において、前記巻付き防止棒を渡架状に支持する支持プレ−トを側面視で「へ」字状を呈するように姿勢を異ならせて設け、側面視で「へ」字状を呈する支持プレ−トの頂部間に巻付き防止棒を横架してあることを特徴とするロ−タリ耕耘機の草藁巻付防止装置。
【発明の詳細な説明】
【技術分野】
【０００１】
本発明は、歩行型トラクタ等の農作業車に連設されるロ−タリ耕耘機の草藁巻付防止装置に関するものである。
【背景技術】
【０００２】
ロ−タリ爪軸筒に配設した複数の爪ホルダに耕耘爪をボルトで止着して構成されるロ−タリ耕耘装置において、前記ロ−タリ爪軸筒の周面から適宜外方に離間した部位にあってロ−タリ爪軸筒に沿って位置する棒状材を、軸方向に互いに離間した爪ホルダ間に渡架状に装し、この棒状材の存在によって、ロ−タリ爪軸筒や耕耘爪を止着した爪ホルダ部分に巻付かんとする草藁類を浮かせて絡みにくくし、草藁類が絡んだ場合でもそれらを取り除き易くしたものが知られている。
【特許文献１】特開平８−９７０２号公報
【特許文献２】特開平１１−１５５３０３号公報
【発明の開示】
【発明が解決しようとする課題】
【０００３】
特許文献１にみられる従来のものにおいては、一部分を弾性材で形成した規制バ−の両端部に輪状の係止環部を設け、その係止環部を爪ホルダ−に外嵌して装するものであったので、規制バ−を着脱するに際しての取りまわし所作が複雑になり、巻付き機能にもバラツキが生じ、耐久性にも欠けるといった問題がある。
その点、特許文献１にみられる従来技術は、各耕耘爪を各爪ホルダ−に固定するボルトの一端部に巻付き防止棒を延設するものであるので、前者で生じていた着脱時の取りまわし所作が複雑になるといったことはないが、多数の巻付き防止棒がこま切れ状に配置される構成になるので、巻付き防止棒の着脱に手間が掛かり、巻付き防止機能も効率よく発揮され難いという問題がある。
また、特許文献１、２にみられる従来技術の巻付き防止棒は、いずれも爪ホルダ−の突出高さよりも低い位置（爪軸外周面に近い位置）に横設され、回転径が比較的小であるので、長い草藁の巻絡は防ぎ得ない問題がある。
本発明が解決しようとする課題は、耕耘性能に悪影響を及ぼすことなく、上述の問題を解消する点である。
【課題を解決するための手段】
【０００４】
本発明は、ロ−タリ爪軸筒から周外方に適宜離間した部位にあってロ−タリ爪軸筒に沿って位置する巻付き防止棒を、ロ−タリ爪軸筒の外周に配設された複数の爪ホルダのうち軸方向に離間した爪ホルダ間に渡架状に止着して設けたロ−タリ耕耘機において、前記巻付き防止棒を、前記爪ホルダに耕耘爪を止着する爪固定ボルトによって共締めに取付ける支持プレ−トに保持させて、支持プレ−ト及びそれに支持される部分の巻付き防止棒が前記耕耘爪の背面側に位置するように構成したことを特徴とする。
【０００５】
そして、請求項２に係る発明では、前記巻付き防止棒が、支持プレ−トと共締めで爪ホルダに止着される耕耘爪の縦刃の最基部寄り部分の回転径に可及的に近い位置に横架されるようにし、また、請求項３に係る発明では、前記巻付き防止棒を渡架状に支持する支持プレ−トを側面視で「へ」字状を呈するように姿勢を異ならせて設け、側面視で「へ」字状を呈する支持プレ−トの頂部間に巻付き防止棒を横架したものにしている。
【発明の効果】
【０００６】
本発明は、ロ−タリ爪軸筒の外周に配設された複数の爪ホルダのうち軸方向に離間した爪ホルダ間に渡架状に止着して設ける巻付き防止棒を、爪ホルダに耕耘爪を止着する爪固定ボルトによって共締めに取付ける支持プレ−トに保持させ、支持プレ−ト及びそれに支持される部分の巻付き防止棒が耕耘爪の背面側に位置するように構成しているので、全体構成が簡潔で巻付き防止棒の着脱が容易であり、巻付き防止装置が設けられていないロ−タリ爪軸筒にも構成変更を施すことなく後付けで巻付き防止棒を取付けて巻付き防止機能を発揮させることができる。そして、巻付き防止棒の設置によって耕耘性能に悪影響を及ぼすようなこともない。
【０００７】
また、前記巻付き防止棒を、支持プレ−トと共締めで爪ホルダに止着される耕耘爪の縦刃の最基部寄り部分の回転径に可及的に近い位置に横架することにより、耕深調節などの耕耘性能に悪影響を及ぼさないことが留保されながら、巻付き防止棒の回転径が可及的に大になって長い草藁の巻絡もが効果的に阻止される。
また、巻付き防止棒を渡架状に支持する支持プレ−トを側面視で「へ」字状を呈するように姿勢を異ならせて設けて側面視で「へ」字状を呈する支持プレ−トの頂部間に巻付き防止棒を横架することにより巻付き防止棒の支持が強固になり、堅牢で耐久性に優れるものとなる。
【発明を実施するための最良の形態】
【０００８】
ロ−タリ爪軸筒への草藁類の巻絡を耕耘性能に影響を及ぼすことなく効果的に阻止できる草藁巻付防止装置を、構成簡潔でロ−タリ爪軸筒への着脱が容易であり、堅牢なものにするという目的を、装置組成部材の合理的な配置構成でもって実現した。
【実施例】
【０００９】
図面は、歩行型トラクタに連設されるロ−タリ耕耘機に本発明装置を適用した実施例を示し、図１は本発明装置に係るロ−タリ爪軸筒の外観概略図、図２はロ−タリ爪軸筒の左側面図、図３はロ−タリ爪軸筒の右側面図、図４はロ−タリ爪軸筒を駆動する伝動機構の伝動断面展開図、図５は歩行型トラクタの全体側面図である。
【００１０】
図５において、歩行型トラクタは、左右の走行車輪(１０)(１０)を走行車軸に嵌着した走行ミッションケ−ス(１１)と、走行ミッションケ−ス(１１)から前延するフレ−ムに搭載したエンジン(１２)と、走行ミッションケ−ス(１１)又はこれに連設される部材から後延される操縦ハンドル(１３)等からなる歩行型自走車に、ロ−タリ耕耘機(１４)を一体的又は着脱自在に連設して構成されている。
【００１１】
そして、前記エンジン(１２)の出力軸と走行ミッションケ−ス(１１)の入力軸間が主伝動ケ−ス(１５)に内蔵された主伝動機構で動力断続自在に連動連結され、走行ミッションケ−ス(１１)の入力軸から同ケ−ス内の走行伝動機構を経て左右の走行車軸に伝達される動力で左右の走行車輪(１０)(１０)を回転駆動し、また、自走車側のＰＴＯ軸からＰＴＯケ−ス(１６)内の出力伝動機構を経てロ−タリ耕耘機(１４)側の受動軸に伝達される動力でロ−タリ耕耘機(１４)の水平横軸型のロ−タリ爪軸筒(１７)を回転駆動するようになっている。
【００１２】
ロ−タリ耕耘機(１４)は、前記ロ−タリ爪軸筒(１７)を回転駆動する耕耘出力軸(１８)を下部に支承横設したセンタ−ドライブケ−ス(１９)と、同ケ−ス(１９)に固装される耕耘カバ−(２０)と、耕耘カバ−(２０)の後端部に設けられる耕深設定具(２１)等によって構成されている。
【００１３】
また、ロ−タリ爪軸筒(１７)は、前記センタ−ドライブケ−ス(１９)の左右両脇部に位置し水平軸芯に対して一定角度で外方に低く傾斜して支承される左右の傾斜爪軸(１７ａ)(１７ｂ)と、各々の傾斜爪軸(１７ａ)(１７ｂ)の軸方向外側部に配設される水平爪軸(１７ｃ)(１７ｄ)とからなる残耕処理型のロ−タリ爪軸筒に構成されている。
【００１４】
図４にみられるように、傾斜爪軸(１７ａ)(１７ｂ)は、センタ−ドライブケ−ス(１９)の下方両側部に設けられている軸ホルダ(２２)(２２)に軸受を介して回転自在に傾斜支承されて、各々の傾斜爪軸(１７ａ) (１７ｂ)に設けられている爪ホルダ(２３)(２３)に、横刃が内向きに屈曲した耕耘爪(Ｂ１)(Ｂ２)と直刃部がセンタ−ドライブケ−スの左右壁近傍に沿って位置する耕耘爪(Ｂ３)(Ｂ４)とが回転方向に位相を異ならせて取付けられる。
【００１５】
また、水平爪軸(１７ｃ)(１７ｄ)は、前記軸ホルダ(２２)(２２)の軸芯を通って水平横向きにして回転自在に支承される耕耘出力軸(２４)の左右延出部分にそれぞれ嵌装固定され、これらの水平爪軸(１７ｃ)(１７ｄ)の外周に複数の爪ホルダ(２５)・・が設定間隔で放射状に設けられて、各々の爪ホルダ(２５)に耕耘爪(Ａ１〜Ａ５)(Ａ６〜Ａ１０)の基部を差込み、各爪ホルダ(２５)と耕耘爪の基部とに跨って挿通する爪固定ボルト(２６)の締め込みによって各々の耕耘爪を固装するものとなっている。
【００１６】
なお、図４において、(２７)は、前記耕耘出力軸(２４)の中央部に楔着した受動スプケット、(２８)は、受動スプケット(２７)とセンタ−ドライブケ−ス(１９)上部の駆動スプロケット（図示省略）とに巻回したチエンであり、駆動スプロケットからチエン(２８)及び受動スプケット(２７)を介して耕耘出力軸(２４)に伝達される動力でもってロ−タリ爪軸筒(１７)の水平爪軸(１７ｃ)(１７ｄ)を所定方向に回転駆動し、また、それ等と同じ方向にロ−タリ爪軸筒(１７)の傾斜爪軸(１７ａ)(１７ａ)を傾斜回転駆動するようになっている。
【００１７】
しかして、上記のように構成されたロ−タリ爪軸筒(１７)に、該ロ−タリ爪軸筒(１７)の周面から外方に離間した部位にあってロ−タリ爪軸筒(１７)に沿って位置する左右の巻付き防止棒(２９)(２９)が設けられるのであるが、左側の巻付き防止棒(２９)は、左側水平爪軸(１７ｃ)の最外端部に位置する爪ホルダ(２５ａ)の内側面に添接して耕耘爪(Ａ１)を締付け固定する爪固定ボルト(２６)で共締めに固定される支持プレ−ト(３０ａ)と左側水平爪軸(１７ｃ)の最内端部に位置する爪ホルダ(２５ｂ)の外側面に添接して耕耘爪(Ａ５)を締付け固定する爪固定ボルト(２６)で共締めに固定される支持プレ−ト(３０ｂ)とによって渡架状に支持される。
【００１８】
又、右側の巻付き防止棒(２９)は、右側水平爪軸(１７ｄ)の最内端の爪ホルダ(２５ｃ)の外側面に添接して耕耘爪(Ａ６)を締付け固定する爪固定ボルト(２６)で共締めに固定される支持プレ−ト(３ｃ)と右側水平爪軸(１７ｄ)の最外端のものより一つ内側に位置する爪ホルダ(２５ｄ)の外側面に添接して耕耘爪(Ａ９)を締付け固定する爪固定ボルト(２６)で共締めに固定される支持プレ−ト(３０ｄ)とで渡架状に支持される。
【００１９】
そして、前記支持プレ−ト(３０ａ)(３０ｂ)、(３０ｃ)(３０ｄ)及びそれに支持される部分の巻付き防止棒(２９)(２９)が、前記耕耘爪(Ａ１)(Ａ５)、(Ａ６)(Ａ９)の背面側に位置し、また、巻付き防止棒(２９)(２９)は、図２及び図３にみられるように、前記耕耘爪(Ａ１)(Ａ５)、(Ａ６)(Ａ９)の背面側において、それら耕耘爪の縦刃の最基部寄り部分の回転径に極力近づけた位置に横架されるようにしている。
【００２０】
したがって、本発明の巻付き防止装置によれば、巻付き防止棒(２９)(２９)の回転径が可及的に大になって効率のよい巻付き防止機能が発揮されながら、耕耘性能を損なわせることなくて良好な耕耘作業が行われる。
【００２１】
なお、図６及び図７は変形例を示しており、この実施例では、巻付き防止棒(２９)を渡架状に支持する支持プレ−ト(３０)(３０)を、側面視（図７参照）において「へ」字状を呈するように姿勢を異ならせて設け、側面視で「へ」字状を呈する支持プレ−ト(３０)(３０)の頂部間に巻付き防止棒(２９)を横架することによって支持の堅牢性を高めている。
また、当該実施例においては、耕耘爪(Ｃ１)(Ｃ２)を配設した延長爪軸(１７ｅ)を、必要に応じて水平爪軸(１７ｃ)の外側に同芯に取付けできるようにし、巻付き防止棒(２９) は上述の実施例と同じように水平爪軸(１７ｃ)の爪ホルダ間に渡架状に設けて、巻付き防止棒(２９)の存在に関係なく延長爪軸(１７ｅ)を脱着できるようにしている。
【産業上の利用可能性】
【００２２】
図示の実施例では、ロ−タリ爪軸筒(１７)がセンタ−ドライブケ−ス(１９)の左右両脇部に位置する左右の傾斜爪軸(１７ａ)(１７ｂ)と各々の傾斜爪軸(１７ａ)(１７ｂ)の軸方向外側部に配設する水平爪軸(１７ｃ)(１７ｄ)とで構成されているが、本発明装置は、ロ−タリ爪軸筒(１７)全体が水平爪軸のみで構成されるものにも適用でき、また、ロ−タリ爪軸筒(１７)が軸方向に分割された複数の爪軸で構成されて分割された爪軸が互いに反対方向に回転する部分正逆転型のものであっても適用することができる。
また、上記実施例のいずれの場合にも、ロ−タリ爪軸筒(１７)がその回転方向を必要に応じて切換え得るように構成されたものであっても差し支えない。
【図面の簡単な説明】
【００２３】
【図１】本発明装置に係るロ−タリ爪軸筒の外観概略図である。
【図２】ロ−タリ爪軸筒の左側面図である。
【図３】ロ−タリ爪軸筒の右側面図である。
【図４】ロ−タリ爪軸筒を駆動する伝動機構の伝動断面展開図である。
【図５】歩行型トラクタの全体側面図である。
【図６】変形例を示した部分概略図である。
【図７】変形例の左側概略図である。
【符号の説明】
【００２４】
１４    ロ−タリ耕耘機
１７    ロ−タリ爪軸筒
１７ａ  傾斜爪軸
１７ｂ  水平爪軸
１８    耕耘出力軸
１９    センタ−ドライブケ−ス
２５    爪ホルダ
２５ａ  爪ホルダ
２５ｂ  爪ホルダ
２５ｃ  爪ホルダ
２５ｄ  爪ホルダ
２６    爪固定ボルト
２９    巻付き防止棒
３０ａ    支持プレ−ト
３０ｂ    支持プレ−ト
３０ｃ    支持プレ−ト
３０ｄ    支持プレ−ト
Ａ１〜Ａ１０  耕耘爪
Ｂ１〜Ｂ４    耕耘爪
Ｃ１〜Ｃ２    耕耘爪
【図１】
2005143455.tif 000003
【図２】
2005143455.tif 000004
【図３】
2005143455.tif 000005
【図４】
2005143455.tif 000006
【図５】
2005143455.tif 000007
【図６】
2005143455.tif 000008
【図７】
2005143455.tif 000009